(57)【要約】【課題】シートが前に移動されてもそのシートと荷室フロアとの間にできる隙間が簡易に隠され、そして、荷物の積み下しの際にシート・バックの背裏面の痛みが未然に回避されて荷室スペースが車室の後側に広くできる。【解決手段】カーペット１５が、シート・バック１２の下端１３から隙間隠しカバー１６を適宜に伸長させてそのシート・バック１２の背裏面１４に張り付けられ、そして、カーペット収納棚１７が、デッキ・ボード３１の前側部分でそのデッキ・ボード３１から下方に適宜の間隔を置いてそのデッキ・ボード３１の裏面３２に固定的に取り付けられ、そして、そのカーペット１５のその隙間隠しカバー１６を引き出し引っ込め可能に収納する。【選択図】図２
2005041420.tif 000002
【特許請求の範囲】
【請求項１】
シート・クッションが、の荷室のデッキ・ボードの前でシート・トラックによって車室のフロアの後方に前後調整可能に据え付けられ、シート・バックが、そのシート・クッションに前倒し可能に支持され、カーペットが、そのシート・バックの下端から隙間隠しカバーを適宜に伸長させてそのシート・バックの背裏面に張り付けられ、そして、カーペット収納棚が、そのデッキ・ボードの前側部分でそのデッキ・ボードから下方に適宜の間隔を置いてそのデッキ・ボードの裏面に固定的に取り付けられ、そして、そのカーペットのその隙間隠しカバーを引き出し引っ込め可能に収納するところの前後調整可能な折りたたみリア・シート。
【請求項２】
そのカーペットが、適宜の柔軟性を有する請求項１に記載の前後調整可能な折りたたみリア・シート。
【請求項３】
そのカーペット収納棚が、そのデッキ・ボードに後付けされる請求項１に記載の前後調整可能な折りたたみリア・シート。
【発明の詳細な説明】
【技術分野】
【０００１】
この発明は、シートを前に移動でき、そのシートの前移動でそのシートと荷室フロアとの間にできる隙間を隠し、そして、車室内に荷室スペースを広くできて小型ワゴンや小型カーゴに最適であるところの前後調整可能な折りたたみリア・シートに関する。
【背景技術】
【０００２】
最近の小型カーゴは、リア・シートに前後調整可能な折りたたみ型を用い、そのシートを前に移動させて折りたたみ、その際に、そのシートと荷室フロアのカーゴ・ボードとの間にできる隙間がリア・シート・カーペットで隠され、そして、車室内に荷室スペースを広げて使用可能にする。ところが、そのリア・シートは、そのリア・シート・カーペットに左右の支持部材を固定させ、そして、その左右の支持部材をそのカーゴ・ボードの切欠きに案内させてそのリア・シート・カーペットを前後に移動させ、そして、そのリア・シート・カーペットにその隙間を隠させるので、構造が複雑になるに加えて荷物の積み下しでシート・バックの背裏面が痛み易い。
【特許文献１】実開平５−４１９５７号公報
【発明の開示】
【発明が解決しようとする課題】
【０００３】
この発明の課題は、シートが前に移動されてもそのシートと荷室フロアとの間にできる隙間が簡易に隠され、そして、荷物の積み下しによるシート・バックの背裏面の痛みが未然に回避できて荷室スペースが車室の後側に広くできるところの前後調整可能な折りたたみリア・シートの提供にある。
【課題を解決するための手段】
【０００４】
この発明は、シート・クッションが、の荷室のデッキ・ボードの前でシート・トラックによって車室のフロアの後方に前後調整可能に据え付けられ、シート・バックが、そのシート・クッションに前倒し可能に支持され、カーペットが、そのシート・バックの下端から隙間隠しカバーを適宜に伸長させてそのシート・バックの背裏面に張り付けられ、そして、カーペット収納棚が、そのデッキ・ボードの前側部分でそのデッキ・ボードから下方に適宜の間隔を置いてそのデッキ・ボードの裏面に固定的に取り付けられ、そして、そのカーペットのその隙間隠しカバーを引き出し引っ込め可能に収納する。
【発明の効果】
【０００５】
この発明では、荷物の積み下しによるそのシート・バックの背裏面の痛みがそのカーペットで未然に回避され、また、その隙間隠しカバーがそのシート・クッションの前後調整やそのシート・バックの前倒し後起しに伴ってそのカーペット収納棚に円滑に出し入れ可能になり、そのシート・クッションが前に移動されてそのシート・クッションとその荷室のそのデッキ・ボードとの間にできる隙間がその隙間隠しカバーで覆われ、そして、そのシート・クッションが前に移動されてそのシート・バックがそのシート・クッション上に前倒しされて折りたたまれると、荷室スペースが車室の後側に広げられ、そして、より多くの、また、より大きな荷物が積載可能になり、そして、見映えが向上される。
【発明を実施するための最良の形態】
【０００６】
そのカーペットが適宜の柔軟性を有するカーペット材を用い、そして、そのカーペット収納棚がその荷室のそのデッキ・ボードに後付けされてその隙間隠しカバーを円滑に出し入れ可能にする。
【実施例１】
【０００７】
以下、特定されて図示された具体例に基づいて、この発明の前後調整可能な折りたたみリア・シートを説明するに、図１および図２は、小型カーゴに活用されるところのこの発明の前後調整可能な折りたたみリア・シートの具体例１０を概略的に示し、そして、この前後調整可能な折りたたみリア・シート１０では、シート・クッション１１が、左右のアンカ・レール２１、２２に左右のスライド・レール２３、２４を長さ方向に摺動可能にはめ合わせるところのシート・トラック２０を組み込み、そして、荷室のデッキ・ボード３１の前においてそのシート・トラック２０で車室のフロア３０の後方に前後調整可能に据え付けられ、また、シート・バック１２が、そのシート・クッション１１に前倒し可能に支持されて左右のヘッドレスト（図示せず）を取り付け、さらに、カーペット１３が、適宜の柔軟性を有するカーペット材から所定の幅および長さに切断され、そのシート・バック１２の下端１３から隙間隠しカバー１４を適宜に伸長させてそのシート・バック１２の背裏面１４に固定的に張り付けられ、またさらに、カーペット収納棚１５が、そのデッキ・ボード３１の前側部分でそのデッキ・ボード３１から下方に適宜の間隔を置いて複数のねじ１８でそのデッキ・ボード３１の裏面３２に固定的に後付けされ、そして、そのカーペット１５のその隙間隠しカバー１６を円滑に引き出し引っ込め可能に収納する。
【０００８】
したがって、その前後調整可能な折りたたみリア・シート１０は、荷室スペースがその車室の後側に広く取る必要があると、そのシート・クッション１１がそのシート・トラック２０で前に移動され、そして、そのシート・バック１２がそのシート・クッション１１上に前倒しされて折りたたまれる。その隙間隠しカバー１６はそのシート・クッション１１およびシート・バック１２によってそのカーペット収納棚１５からそのデッキ・ボード３１の前方に引き出され、そして、そのシート・クッション１１−シート・バック１２とそのデッキ・ボード３１との間にできたところの隙間を覆う。そのようにして、この前後調整可能な折りたたみリア・シート１０は、その車室内にその荷室スペースをさらに広げてより多くの、また、より大きな荷物を積載可能にする。また、その荷物の積み下しの際に生じるそのシート・バック１２のその背裏面１４の痛みがそのカーペット１５で未然に回避される。勿論、見映も向上される。この場合、そのカーペット１５がその適宜の柔軟性を有するカーペット材から切断されて作られるので、その隙間隠しカバー１６はそのシート・クッション１１の前後調整やそのシート・バック１２の前倒し後起しに伴ってそのカーペット収納棚１７に円滑に出し入れされて収納される。
【０００９】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１０】
上述から理解されるように、この発明の前後調整可能な折りたたみリア・シートはシート・クッションが、の荷室のデッキ・ボードの前でシート・トラックによって車室のフロアの後方に前後調整可能に据え付けられ、シート・バックが、そのシート・クッションに前倒し可能に支持され、カーペットが、そのシート・バックの下端から隙間隠しカバーを適宜に伸長させてそのシート・バックの背裏面に張り付けられ、そして、カーペット収納棚が、そのデッキ・ボードの前側部分でそのデッキ・ボードから下方に適宜の間隔を置いてそのデッキ・ボードの裏面に固定的に取り付けられ、そして、そのカーペットのその隙間隠しカバーを引き出し引っ込め可能に収納するので、この発明の前後調整可能な折りたたみリア・シートでは、荷物の積み下しの際に生じるそのシート・バックのその背裏面の痛みがそのカーペットで未然に回避され、また、隙間隠しカバーがそのシート・クッションの前後調整やそのシート・バックの前倒し後起しに伴ってそのカーペット収納棚に円滑に出し入れ可能になって収納され、そのシート・クッションが前に移動されてそのシート・クッション−シート・バックとその荷室のデッキ・ボードとの間にできる隙間がその簡易な隙間隠しカバーで覆われ、そして、そのシート・クッションが前に移動されてそのシート・バックがそのシート・クッション上に前倒しされて折りたたまれると、荷室スペースがその車室の後側に広げられてより多くの、また、より大きな荷物が積載可能になり、そして、見映えが向上され、その結果、小型ワゴンや小型カーゴにとって非常に有用で実用的である。
【図面の簡単な説明】
【００１１】
【図１】小型カーゴに活用されるところのこの発明の前後調整可能な折りたたみリア・シートの具体例を前に移動させて折りたたみ状態で概略的に示した側面図である。
【図２】そのリア・シートを後側から見てさらに概略的に示した斜視図である。
【００１２】
１１  シート・クッション
１２  シート・バック
１３  下端
１４  背裏面
１５  カーペット
１６  隙間隠しカバー
１７  カーペット収納棚
２０  シート・トラック
３０  フロア
３１  デッキ・ボード
３２  裏面
【図１】
2005041420.tif 000003
【図２】
2005041420.tif 000004